【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
印刷データ、及び印刷データ関連情報を取得するデータ取得部と、
前記印刷データ関連情報から画像データを生成する画像データ生成部と、
前記印刷データの画像印刷領域を抽出する画像印刷領域抽出部と、
前記画像印刷領域に前記画像データを合成する合成部と、
前記合成部で合成されたデータを画像形成部に送信する送信部とを有することを特徴とする画像処理装置。
【請求項２】
前記合成部は、更に、前記画像印刷領域と前記画像データとの重なりを判定し、重なり有りと判定すると、前記画像印刷領域に前記画像データを合成することを特徴とする請求項１に記載の画像処理装置。
【請求項３】
前記画像データは、地紋データであることを特徴とする請求項１または請求項２の画像処理装置。
【請求項４】
前記画像データは、文字として視認可能なデータであることを特徴とする請求項１または請求項２の画像処理装置。
【請求項５】
印刷データ、及び印刷データ関連情報を取得するデータ取得部と、
前記印刷データ関連情報から画像データを生成する画像データ生成部と、
前記印刷データの光学読み取り認識情報存在領域を抽出する画像印刷領域抽出部と、
少なくとも前記光学読み取り認識情報存在領域を除いて前記印刷データに前記画像データを合成する合成部と、
前記合成部で合成されたデータを画像形成部に送信する送信部を有することを特徴とする画像処理装置。
【請求項６】
前記合成部は、更に、前記光学読み取り認識情報存在領域と前記画像データとの重なりを判定し、重なり有りと判定すると、前記光学読み取り認識情報存在領域を除いて前記画像データを前記印刷データに合成することを特徴とする請求項５に記載の画像処理装置。
【請求項７】
前記光学読み取り認識情報は、バーコード情報であることを特徴とする請求項５または請求項６に記載の画像処理装置。
【請求項８】
前記光学読み取り認識情報は、ＯＣＲ文字であることを特徴とする請求項５または請求項６に記載の画像処理装置。
【請求項９】
前記画像データは、地紋データであることを特徴とする請求項５または請求項６に記載の画像処理装置。
【請求項１０】
前記画像データは、文字として視認可能なデータであることを特徴とする請求項５または請求項６に記載の画像処理装置。
【請求項１１】
印刷データ、及び印刷データ関連情報を取得するデータ取得部と、
前記印刷データ関連情報から画像データを生成する画像データ生成部と、
前記画像データを合成しない前記印刷データの領域を指定する画像除外指定部と、
前記画像除外指定部で指定された前記領域を画像除外領域とする画像印刷領域抽出部と、
前記画像除外領域を除いた前記画像印刷情報存在領域に前記画像データを合成する合成部と、
前記合成部で合成されたデータを画像形成部に送信する送信部を有することを特徴とする画像処理装置。
【請求項１２】
前記画像データが地紋データであることを特徴とする請求項１１記載の画像処理装置。
【請求項１３】
前記画像データが文字として視認可能なデータであることを特徴とする請求項１１記載の画像処理装置。
【請求項１４】
前記画像除外指定部は、描画手順内の一部分又は複数部分の描画オブジェクト群を指定することを特徴とする請求項１１に記載の画像処理装置。
【請求項１５】
前記画像除外指定部は、前記印刷データ内の一部分又は複数部分を画像除外領域として指示することを特徴とする請求項１１に記載の画像処理装置。
【請求項１６】
印刷データ、及び印刷データ関連情報を取得すること、
前記印刷データ関連情報から画像データを生成すること、
前記印刷データの画像印刷領域を抽出すること、
前記画像印刷領域に前記画像データを合成すること、
前記合成部で合成されたデータを画像形成部に送信すること、を特徴とする画像処理方法。
【請求項１７】
更に、前記画像印刷領域と前記画像データとの重なりを判定し、重なり有りと判定すると、前記画像印刷領域に前記画像データを合成することを特徴とする請求項１６に記載の画像処理方法。
【請求項１８】
前記画像データは、地紋データであることを特徴とする請求項１６または請求項１７の画像処理方法。
【請求項１９】
前記画像データは、文字として視認可能なデータであることを特徴とする請求項１６または請求項１７の画像処理方法。
【請求項２０】
印刷データ、及び印刷データ関連情報を取得すること、
前記印刷データ関連情報から画像データを生成すること、
前記印刷データの光学読み取り認識情報存在領域を抽出すること、
少なくとも前記光学読み取り認識情報存在領域を除いて前記印刷データに前記画像データを合成すること、
前記合成されたデータを画像形成部に送信すること、を特徴とする画像処理方法。
【請求項２１】
前記合成部は、更に、前記光学読み取り認識情報存在領域と前記画像データとの重なりを判定し、重なり有りと判定すると、前記光学読み取り認識情報存在領域を除いて前記画像データを前記印刷データに合成することを特徴とする請求項２０に記載の画像処理方法。
【請求項２２】
前記光学読み取り認識情報は、バーコード情報であることを特徴とする請求項２０または請求項２１に記載の画像処理方法。
【請求項２３】
前記光学読み取り認識情報は、ＯＣＲ文字であることを特徴とする請求項２０または請求項２１に記載の画像処理方法。
【請求項２４】
前記画像データは、地紋データであることを特徴とする請求項２０または請求項２１に記載の画像処理方法。
【請求項２５】
前記画像データは、文字として視認可能なデータであることを特徴とする請求項２０または請求項２１に記載の画像処理方法。
【請求項２６】
印刷データ、及び印刷データ関連情報を取得すること、
前記印刷データ関連情報から画像データを生成すること、
前記画像データを合成しない前記印刷データの領域を指定すること、
前記画像除外指定部で指定された前記領域を画像除外領域と設定すること、
前記画像除外領域を除いた前記画像印刷情報存在領域に前記画像データを合成すること、
前記合成部で合成されたデータを画像形成部に送信する送信部を有することを特徴とする画像処理方法。
【請求項２７】
前記画像データが地紋データであることを特徴とする請求項２６記載の画像処理方法。
【請求項２８】
前記画像データが文字として視認可能なデータであることを特徴とする請求項２６記載の画像処理方法。
【請求項２９】
前記画像除外指定部は、描画手順内の一部分又は複数部分の描画オブジェクト群を指定することを特徴とする請求項２６に記載の画像処理方法。
【請求項３０】
前記画像除外指定部は、前記印刷データ内の一部分又は複数部分を画像除外領域として指示することを特徴とする請求項２６に記載の画像処理方法。
【請求項３１】
印刷データ、及び印刷データ関連情報を取得するデータ取得部と、
前記印刷データ関連情報から画像データを生成する画像データ生成部と、
前記印刷データの画像印刷領域を抽出する画像印刷領域抽出部と、
前記画像印刷領域に前記画像データを合成する合成部と、
前記合成部で合成されたデータを画像形成部に供給する供給部とを有することを特徴とする画像形成装置。
【請求項３２】
前記合成部は、更に、前記画像印刷領域と前記画像データとの重なりを判定し、重なり有りと判定すると、前記画像印刷領域に前記画像データを合成することを特徴とする請求項３１に記載の画像形成装置。
【請求項３３】
前記画像データは、地紋データであることを特徴とする請求項３１または請求項３２の画像形成装置。
【請求項３４】
前記画像データは、文字として視認可能なデータであることを特徴とする請求項３１または請求項３２の画像形成装置。
【請求項３５】
印刷データ、及び印刷データ関連情報を取得するデータ取得部と、
前記印刷データ関連情報から画像データを生成する画像データ生成部と、
前記印刷データの光学読み取り認識情報存在領域を抽出する画像印刷領域抽出部と、
少なくとも前記光学読み取り認識情報存在領域を除いて前記印刷データに前記画像データを合成する合成部と、
前記合成部で合成されたデータを画像形成部に供給する供給部を有することを特徴とする画像形成装置。
【請求項３６】
前記合成部は、更に、前記光学読み取り認識情報存在領域と前記画像データとの重なりを判定し、重なり有りと判定すると、前記光学読み取り認識情報存在領域を除いて前記画像データを前記印刷データに合成することを特徴とする請求項３５に記載の画像形成装置。
【請求項３７】
前記光学読み取り認識情報は、バーコード情報であることを特徴とする請求項３５または請求項３６に記載の画像形成装置。
【請求項３８】
前記光学読み取り認識情報は、ＯＣＲ文字であることを特徴とする請求項３５または請求項３６に記載の画像形成装置。
【請求項３９】
前記画像データは、地紋データであることを特徴とする請求項３５または請求項３６に記載の画像形成装置。
【請求項４０】
前記画像データは、文字として視認可能なデータであることを特徴とする請求項３５または請求項３６に記載の画像形成装置。
【請求項４１】
印刷データ、及び印刷データ関連情報を取得するデータ取得部と、
前記印刷データ関連情報から画像データを生成する画像データ生成部と、
前記画像データを合成しない前記印刷データの領域を指定する画像除外指定部と、
前記画像除外指定部で指定された前記領域を画像除外領域とする画像印刷領域抽出部と、
前記画像除外領域を除いた前記画像印刷情報存在領域に前記画像データを合成する合成部と、
前記合成部で合成されたデータを画像形成部に供給する供給部を有することを特徴とする画像形成装置。
【請求項４２】
前記画像データが地紋データであることを特徴とする請求項４１記載の画像形成装置。
【請求項４３】
前記画像データが文字として視認可能なデータであることを特徴とする請求項４４記載の画像形成装置。
【請求項４４】
前記画像除外指定部は、描画手順内の一部分又は複数部分の描画オブジェクト群を指定することを特徴とする請求項４１に記載の画像形成装置。
【請求項４５】
前記画像除外指定部は、前記印刷データ内の一部分又は複数部分を画像除外領域として指示することを特徴とする請求項４１に記載の画像形成装置。
【手続補正２】
【補正対象書類名】明細書
【補正対象項目名】発明の名称
【補正方法】変更
【補正の内容】
【発明の名称】画像処理装置、画像処理方法及び画像形成装置
【手続補正３】
【補正対象書類名】明細書
【補正対象項目名】０００１
【補正方法】変更
【補正の内容】
【０００１】
本発明は、印刷者や印刷状況を特定する情報を合成した画像データを生成する画像処理装置及び画像処理方法、画像形成装置に関するものである。